(57)【要約】  第１のレール（１）および該第１のレール（１）において可動に支承された第２のレール（２）を有する、家具（１０）において取付け可能な引出しガイド（３）と、第１のレール（１）に結合されたラック（４１）、該ラック（４１）に噛み合う歯車（４２）および第２のレール（２）に結合された支承ブラケット（４３）を有するレール同期化装置（４）であって、歯車（４２）が支承ブラケット（４３）内に回転可能に支承されている、レール同期化装置（４）と、引出し用駆動装置（６）のための連行体（５）とを備えたアセンブリ（１００）において、レール同期化装置（４）のラック（４１）が連行体（５）に結合されている。
2021511904.tif 000002
【特許請求の範囲】
【請求項１】
−第１のレール（１）および該第１のレール（１）において可動に支承された第２のレール（２）を有する、家具（１０）に取付け可能な引出しガイド（３）と、
−前記第１のレール（１）に結合されたラック（４１）、該ラック（４１）に噛み合う歯車（４２）および前記第２のレール（２）に結合された支承ブラケット（４３）を有するレール同期化装置（４）であって、前記歯車（４２）が前記支承ブラケット（４３）内に回転可能に支承されている、レール同期化装置（４）と、
−引出し用駆動装置（６）のための連行体（５）と
を備えたアセンブリ（１００）であって、
前記レール同期化装置（４）の前記ラック（４１）が、前記連行体（５）に結合されていることを特徴とする、アセンブリ（１００）。
【請求項２】
前記第１のレール（１）が、家具本体（１１）に取付け可能な本体レールとして形成されていて、前記第２のレール（２）が、引出し（１２）に取付け可能な荷重レールとして形成されている、請求項１記載のアセンブリ。
【請求項３】
前記レール同期化装置（４）が、前記歯車（４２）に結合されて一緒に回転する同期化ロッド（４４）を有している、請求項１または２記載のアセンブリ。
【請求項４】
前記ラック（４１）が、細長い歯枠部（４５）と、好適にはプラスチックから成る第１の保持要素（４６）とを有していて、前記歯枠部（４５）が、前記第１の保持要素（４６）を介して前記連行体（５）上に載着している、請求項１から３までのいずれか１項記載のアセンブリ。
【請求項５】
前記第１の保持要素（４６）内に、前記歯枠部（４５）のためのガイド溝（４７）が形成されている、請求項４記載のアセンブリ。
【請求項６】
前記歯枠部（４５）が、長手方向（Ｌ）で前記第１の保持要素（４６）において位置固定されている、請求項４または５記載のアセンブリ。
【請求項７】
前記ラック（４１）が、好適にはプラスチックから成る第２の保持要素（４８）を有していて、前記歯枠部（４５）が、前記第２の保持要素（４８）を介して前記第１のレール（１）に結合されている、請求項４から６までのいずれか１項記載のアセンブリ。
【請求項８】
前記支承ブラケット（４３）が、好適にはレバー形のロック要素（４９）を介して前記第２のレール（２）に着脱可能に結合されている、請求項１から７までのいずれか１項記載のアセンブリ。
【請求項９】
前記連行体（５）が、前記第１のレール（１）に結合可能な連行プレート（５１）と、該連行プレート（５１）に配置された連行ピン（５２）とを有している、請求項１から８までのいずれか１項記載のアセンブリ。
【請求項１０】
前記連行体（５）に、好適には前記連行体（５）の前記連行ピン（５２）に係合可能である引出し用駆動装置（６）が設けられている、請求項１から９までのいずれか１項記載のアセンブリ。
【請求項１１】
前記引出し用駆動装置（６）が、前記第２のレール（２）に、好適には着脱可能に結合されている、請求項１０記載のアセンブリ。
【請求項１２】
前記引出し用駆動装置（６）が、前記引出し（１２）を閉鎖位置（ＳＳ）から開放位置（ＯＳ）へと押し出すための押出装置として構成されている、請求項１０または１１記載のアセンブリ。
【請求項１３】
前記押出装置は、前記引出し（１２）を閉鎖方向（ＳＲ）に押し込むことによりロック解除可能なロック装置を有している、請求項１２記載のアセンブリ。
【請求項１４】
前記押出装置は、好適には前記第２のレール（２）に取り付けられた支持体（６１）と、該支持体（６１）に対して相対的に可動な押出要素と、一方では前記支持体（６１）に、他方では前記押出要素に取り付けられた押出蓄力器とを有している、請求項１２または１３記載のアセンブリ。
【請求項１５】
家具本体（１１）と、少なくとも１つの引出し（１２）と、請求項１から１４までのいずれか１項記載のアセンブリ（１００）とを備えた家具（１０）。
【発明の詳細な説明】
【技術分野】
【０００１】
本発明は、第１のレールおよび該第１のレールにおいて可動に支承された第２のレールを有する、家具に取付け可能な引出しガイドと、第１のレールに結合可能なラック、該ラックに噛み合う歯車および第２のレールに結合された支承ブラケットを有するレール同期化装置であって、歯車が支承ブラケット内に回転可能に支承されているレール同期化装置と、引出し用駆動装置のための連行体とから成るアセンブリに関する。さらに本発明は、このようなアセンブリを備えた家具に関する。
【０００２】
レール同期化装置は、大抵の場合、家具において互いに反対の側に配置された２つのレールシステムの運動を互いに対して同期化するために使用される。これによって、引出し可能な引出しの正確な平行ガイドが可能になる。家具本体に対して相対的なこの平行ガイドは、特に、極めて狭幅の引出しまたは極めて広幅の引出しを運動させたい場合に有利である。平行ガイドにより、引出しの側方の引っかかりは十分に阻止される。このようなシステムは、当業者には側面安定化のためのシステムとしても知られている。これに関する例は、欧州特許出願公開第１０３６５２６号明細書および欧州特許第２５１５７１０号明細書から明らかである。
【０００３】
何年も前から、引出し用駆動装置も公知である。この引出し用駆動装置により、引出しは、押し出されるかまたは引き込まれる。このような引出し用駆動装置は、直接に引出しに作用することができる。しかし大抵の場合、いわゆる連行体が引出しまたは家具本体に対応配置されている。この連行体は引出し用駆動装置と係合可能である。このような駆動装置に関する例は、国際公開第２０１５／１９２１５３号から明らかである。
【０００４】
側面安定化システムと、引出し用駆動装置のための連行体とを有する家具では、必要となる多数の構成要素に基づいて、スペース需要が比較的高い。さらに組込みは極めて複雑になってしまう。
【０００５】
したがって本発明の課題は、先行技術に対して改善されたアセンブリを提供することにある。特に、スペース需要ができるだけ小さいことが望ましい。さらにできるだけ少ない構成要素および材料しか消費しないことが望ましい。
【０００６】
この課題は、請求項１に記載の特徴を備えるアセンブリにより解決される。したがって、本発明によれば、レール同期化装置のラックが連行体に結合されていることが規定されている。したがって、ラックはもはや第１のレール（だけ）に結合されているのではなく、存在する連行体がレール同期化装置のラック用の結合可能性として使用される。
【０００７】
本発明の好適な実施例は、特に従属請求項に記載されている。
【０００８】
レール同期化装置の構成要素の一般的な配置に関する第１の実施形態は、第１のレールが、引出しに取付け可能な荷重レールとして形成されていて、第２のレールが、家具本体に取付け可能な本体レールとして形成されていることを規定する。この場合、支承ブラケットは本体レールに対応配置されていて、したがって家具本体に対して相対的に位置固定されているのに対して、ラックは荷重レールと一緒に運動可能である。連行体は、この実施形態では、荷重レールに対応配置されているか、または直接に引出しに対応配置されている。
【０００９】
レール同期化装置の構成要素の配置に関する代替的な第２の実施形態では、機械的な反転が規定されている。これは、後に説明する図面にも図示されている。したがって、第１のレールが、家具本体に取付け可能な本体レールとして形成されていて、第２のレールが、引出しに取付け可能な荷重レールとして形成されている。連行体は、この実施形態では、本体レールに対応配置されているか、または直接に家具本体に対応配置されている。
【００１０】
引出しにとって部分引出しでは、レールシステムが単に第１のレールおよび第２のレールを有していれば、十分である。引出しを完全に引き出すためには、第１のレールと第２のレールとの間に配置されている中間レールがさらに設けられていてもよい。
【００１１】
概して、アセンブリは、家具本体の互いに反対の側において取付け可能な（それぞれ１つの第１のレールおよび第２のレールを備えた）２つの引出しガイドと、それぞれ１つのレール同期化装置と、それぞれ１つの連行体とを有していることが規定されていてよい。好適には、このアセンブリの構成要素は互いに対して鏡像対称的に両側に配置され、かつ形成されていることが規定されている。
【００１２】
好適な実施例によれば、レール同期化装置は、歯車に結合されて一緒に回転する同期化ロッドを有していることが規定されている。この同期ロッドは、家具本体の互いに反対の側に配置された歯車を接続しかつ同期化する。
【００１３】
概して、ラックが、単に好適には一体的な１つの歯枠部の形で形成されていることが可能である。簡単な取付けのためには、好適には、ラックが、好適には引出しガイドの長手方向に方向付けされた細長い歯枠部と、好適にはプラスチックから成る第１の保持要素とを有していることが規定されている。特に好適には、歯枠部が第１の保持要素を介して連行体上に（間接的に）載着することが規定されている。
【００１４】
簡単な組付けのためには、好適には、第１の保持要素内に歯枠部のためのガイド溝が形成されていることが規定されている。
【００１５】
できるだけ安定的な結合を保証するために、好適には、歯枠部が、長手方向で第１の保持要素において位置固定されていることが規定されている。このためには、たとえば位置固定突起が第１の保持要素において形成されていてよい。
【００１６】
さらに確実な組付けのためには、好適には、ラックが、好適にはプラスチックから成る第２の保持要素を有していることが規定されている。さらに好適には、歯枠部が、第２の保持要素を介して第１のレールに（間接的に）結合されていることが規定されていてよい。この第２の保持要素は、好適には、第１のレールの形材内に押し込むことができるように、形成されている。好適には、歯枠部は第２の保持要素において長手方向で移動可能にガイドされていることが規定されている。これにより、歪みおよび反りが阻止される。
【００１７】
簡単な組付けのためには、好適には、支承ブラケットが、好適にはレバー形のロック要素を介して、第２のレールに着脱可能に結合されていることが規定されている。結合は、たとえばクランプにより、楔止めにより、またはスナップインにより行うことができる。
【００１８】
連行体は、この連行体が引出し用駆動装置に係合可能であるように構成されていることが望ましい。簡単な製造および組付けのために、好適には、連行体が、第１のレールに結合可能な連行プレートと、連行プレートに配置された連行ピンとを有していることが規定されている。代替的には、連行プレートは、家具本体に直接に結合可能であるか、または機械的に反転して、引出しに直接に結合可能であってよい。
【００１９】
ラックの良好な保持のために、好適には、ラックが、好適には第１の保持要素を介して間接的に、連行体の連行プレート上に載着していることが規定されている。
【００２０】
本発明に係るアセンブリの供給範囲において、引出し用駆動装置は、まだ強制的に存在していなくてもよい。しかし連行体は、連行体が組込み状態において本来必要でない場合でさえ、既にアセンブリの一部である。連行体と引出しガイドとのこの結合は、最終的に引出し用駆動装置が全く使用されない場合でも、特に保管コストを減じるために存在している。しかし、あまり多くの変化形を貯蔵しないことにより、小さな保管手間を有するために、連行体は常にアセンブリの部分である。
【００２１】
好適には、アセンブリが、連行体に、好適には連行体の連行ピンに係合可能である引出し用駆動装置も有していることが規定されている。
【００２２】
特に好適には、２つの引出し用駆動装置が、家具本体の互いに反対の側に配置されていることが規定されている。このためには好適には、これらの両方の引出し用駆動装置が、レール同期化装置とは別個の駆動装置同期化装置により同期化可能であることが規定されていてよい。
【００２３】
形態に応じて、引出し用駆動装置は、引出しに対応配置されているか、または家具本体に対応配置されていてよい。対応して、連行体はそれぞれ対向部材に対応配置されている。
【００２４】
好適な実施例によれば、引出し用駆動装置が、第２のレールに、好適には着脱可能に結合されていることが規定されている。
【００２５】
好適にはさらに、引出し用駆動装置が、引出しを閉鎖位置から開放位置へと押し出すための押出装置として構成されていることが規定されている。代替的には、引出し用駆動装置が、好適には、引出しを開放位置から閉鎖位置へと引き込むための緩衝された引込み装置として構成されていることが規定されていてもよい。
【００２６】
さらに、好適には、押出装置が、好適には、第２のレールに取り付けられた支持体と、支持体に対して可動な押出要素と、一方では支持体に、他方では押出要素に取り付けられた押出蓄力器とを有していることが規定されていてよい。
【００２７】
押出装置の簡単な作動のためには、好適には、押出装置が、引出しを閉鎖方向で押し込むことによりロック解除可能なロック装置を有していることが規定されている。ロック装置は、たとえば、係止溝を備えたカージオイド形のロック軌道を有している。この係止溝内に押出要素が制御ピンを介してロック可能である。
【００２８】
家具本体と、少なくとも１つの引出しと、本発明に係るアセンブリとを備えた家具のためにも保護が要求される。
【００２９】
本発明の別の詳細および利点は、図面に図示した実施例に関する図面の説明につき以下に詳細に説明する。
【図面の簡単な説明】
【００３０】
【図１】引出しおよび引出しガイドを備えた家具をレール同期化装置と一緒に示す斜視図である。
【図２】レール同期化装置、引出しガイド、連行体および引出し用駆動装置から成るアセンブリを示す分解斜視図である。
【図３】図２に示すアセンブリを組立て状態で示す図である。
【図４】装置の組付け経過を示す斜視図である。
【図５】装置の組付け経過を示す斜視図である。
【図６】装置の組付け経過を示す斜視図である。
【図７】装置の組付け経過を示す斜視図である。
【図８】装置の組付け経過を示す斜視図である。
【図９】装置の組付け経過を示す斜視図である。
【図１０】装置の組付け経過を詳細図と一緒に示す斜視図である。
【図１１】装置の組付け経過を詳細図と一緒に示す斜視図である。
【図１２】装置の組付け経過を詳細図と一緒に示す斜視図である。
【図１３】装置の組付け経過を詳細図と一緒に示す斜視図である。
【図１４】装置の組付け経過を詳細図と一緒に示す斜視図である。
【図１５】装置の組付け経過を詳細図と一緒に示す斜視図である。
【図１６】装置の組付け経過を詳細図と一緒に示す斜視図である。
【図１７】レール同期化装置を示す斜視図である。
【００３１】
図１は、棚形の家具本体１１を備えた家具１０の斜視図を示している。引出し１２は、引出しガイド、つまり、引出しを引き出すためのガイド３（レールシステムとも呼ばれる）を介して、家具本体１１に対して相対的に走行可能に支承されている。下側に図示された２つの引出し１２は、それぞれ閉鎖位置ＳＳに位置している。上側の図示されていない引出し１２では、引出しガイド３の第２のレール２（荷重レール）が、それぞれ引き出された位置に位置していて、これは、引出し１２の開放位置ＯＳに対応する。引出し１２の各側に、引出しガイド３が位置している。両引出しガイド３は、家具本体１１の互いに反対に位置する側壁に取り付けることができる。引出しガイド３の長手方向Ｌに対して直交する横方向に延びる同期ロッド４４が確認可能である。好適には、この同期ロッド４４は、トーションシャフトの形で形成されている。同期ロッド４４により、両引出しガイド３の運動が互いに対して相対的に同期化可能である。これにより、家具本体１１に対して相対的な、引出し１２の正確な平行ガイドを引き起こすこともできる。両引出しガイド３は、家具本体１１において取り付けるべき（好適には金属製の）それぞれ１つの第１のレール（本体レール）ならびに第１のレール１に対して相対的に走行可能もしくは第１のレール１において可動に支承された（好適には金属製の）少なくとも１つの第２のレール２（荷重レール）を有している。同期ロッド４４の目的は、左右の荷重レール２の運動を互いに対して相対的に同期化し、これにより引出し１２を側方での引っかかりなしに家具本体１１から引き出し、かつ家具本体１１内に押し込むことができるようにすることにある。同期ロッド４４は、両側で支承ブラケット４３内に回転可能に支承されている。支承ブラケット４３は、第２のレール２に、好適には着脱可能に、結合されている。同期ロッド４４は、端部領域においてそれぞれ１つの歯車４２を備えている。歯車４２は、ラック４１と噛み合う。当然ながら、機構的な反転構成も可能であり、ラック４１を引出し１２または第２のレール２において支承し、対応する歯車４２を支承ブラケット４３および同期ロッド４４と一緒に第１のレール１または家具本体１１において支承することも可能である。ラック４１、歯車４２、支承ブラケット４３および同期ロッド４４は、一緒にレール同期化装置４を形成する。
【００３２】
図２には、分解斜視図でアセンブリ１００が図示されている。このアセンブリ１００は、レール同期化装置４、引出しガイド３および連行体５から構成される。この場合、アセンブリ１００は、引出し用駆動装置、つまり引出しを駆動するための駆動装置６をさらに有している。レール同期化装置４は、単に部分的にしか図示されていない同期化ロッド４４、支承ブラケット４３、歯車４２およびラック４１を有している。さらに、支承ブラケット４３に可動に支承されたロック要素４９が確認可能である。さらに、第２の保持要素４８が良好に確認可能である。引出しガイド３は、第１のレール１および第２のレール２から構成されている。連行体５は、好適には金属製の連行プレート５１および連行ピン５２を有している。連行ピン５２は、連行プレート５１と一体的に形成されていてよい。好適には、連行ピン５２は、好適にはプラスチックから成る被せ嵌め部材の一部であり、被せ嵌め部材は連行プレート５１に結合されていることが規定されている。この場合、押出装置として構成されている引出し用駆動装置６のうち、主に支持体６１が確認可能である。さらに、この引出し用駆動装置６は、レール同期化装置４とは別個の同期ロッド６２を有している。
【００３３】
図３には、アセンブリ１００が組み立てられた状態で図示されている。レール同期化装置４は、支承ブラケット４３を介して第２のレール２の後方領域に取り付けられている。歯車４２は、（まだ短縮されていない）ラック４１に噛み合っている。引出し用駆動装置６は、支持体６１を介して引出しガイド３（特に第２のレール２の容器レールに）、好適には着脱可能に、結合されている。
【００３４】
以下の図面では、アセンブリ１００の可能な組付け経過がステップ毎に図示されている。
【００３５】
図４では、まず、第１のレール１が２つのアングル形の組付け要素７と、レール形のガイド部材８とを有していることが、確認可能である。これらの要素は、互いに結合されていて、好適には溶接またはリベット止めされている。第２のレール２は、図示されていないローラを介して、第１のレール１のガイド部材８において可動に支承されている。連行プレート５１は、引出しガイド３からまだ離間している。
【００３６】
図５では、連行体５のガイド要素５３が、第１のレール１内に形成された切欠き９内に押し込まれている。さらに、連行ピン５２を有する被せ嵌め部材が連行プレート５１に取り付けられていることが確認可能である。
【００３７】
図６は、連行体５が引出しガイド３に対して相対的に旋回させられた後の位置を示している。これにより、連行体５は、引出しガイド３の第１のレール１において、好適には締付け（Verklemmen）により取り付けられている。
【００３８】
図７には、図６の配置が斜め上方から図示されている。連行体５の連行ピン５２が良好に確認可能である。
【００３９】
図８には、付加的に、レール同期化装置４の、好適にはプラスチックから成る第１の保持要素４６が図示されている。
【００４０】
図９は、第１の保持要素４６が、連行体５の領域において、第１のレール１および連行体５に取り付けられている、好適にはスナップインされているか、またはクリップ固定されている場合の位置を示している。これにより第１の保持要素４６は直接に連行体５上に載着している。
【００４１】
図１０には、第２の保持要素４８も図示されている。この第２の保持要素４８は、この位置では第２のレール２を取り囲んでいる。左下側に図示された詳細図では、この第２の保持要素４８は、斜め下方から図示されている。
【００４２】
図１１によれば、第２の保持要素４８は、長手方向Ｌで閉鎖方向ＳＲとは反対方向に移動させられている。これにより、第２の保持要素４８は、一方では第２のレール２を取り囲み、他方では第１のレール１の端部領域において保持されている、好適にはスナップインされている。これは、左下の詳細図において、さらに斜め下側からの図面においても可視化されている。
【００４３】
図１２では、支承ブラケット４３が引出しガイド３の後方領域において当て付けられている。ロック要素４９は、（左下の詳細図においても確認可能であるように）まだ解除位置に位置している。
【００４４】
図１３によれば、ロック要素４９が旋回させられている。これにより、レール同期化装置４の支承ブラケット４３が第２のレール２に固定的に結合されている、好適にはこの第２のレール２に固定的にクランプされている。これは、左下の詳細図においても、同様に詳細に確認可能であり、同期ロッド４４および（同期ロッドに相対回動不能に結合された）歯車４２も比較的大きく図示されている。この詳細図では、支承ブラケット４３の下側領域における側方のガイド凹部４０も良好に確認可能である。
【００４５】
図１４によれば、ラック４１の歯枠部（Zahnleiste）４５が、ガイド凹部４０を介して支承ブラケット４３内に押し込まれている。これにより、歯枠部４５の個別の歯は、歯車４２に噛み合う。歯枠部４５は、第２の保持要素４８内の対応するガイド凹部に既に接触している。
【００４６】
図１５では、歯枠部４５が完全に押し込まれていて、第１の保持要素４６にも載着している。したがって、図１５では、アセンブリ１００は、組み立てられた状態で図示されている。歯枠部４５は、第１の保持要素４６と一緒にラック４１を形成する。この位置では、レール同期化装置４のラック４１は、連行体５に結合されている。好適には、ラック４１は、連行体５の連行プレート５１に載着している。これにより、引出しガイド３とラック４１との比較的複雑な結合部を形成する必要がなく、いずれにせよ存在している連行体５が、レール同期化装置４のラック４１の簡単な組付けを可能にするために使用される。したがって、アセンブリ１００がさらに引出し用駆動装置６も有している場合に、連行体５は二重機能を有している。
【００４７】
図１６と、図１６に所属する詳細図では、さらに、歯枠部４５が、第２の保持要素４８の領域において、長手方向で移動可能にガイドされている（右上の詳細図を参照）一方で、歯枠部４５がラック４１の第１の保持要素４６において、長手方向Ｌへの運動に対して位置固定されている（左下の詳細図を参照）ことがさらに確認可能である。特に、このためには、歯枠部４５内に係止溝１３が形成されていて、第１の保持要素４６内に、対応する係止突起１４が形成されている。場合によっては、これは反転されて形成されていてもよい。
【００４８】
図１７には、最終的にさらにレール同期化装置４が引出しガイド３なしで図示されている。両側に配置されたラック４１および支承ブラケット４３ならびに同期ロッド４４が図示されている。このレール同期化装置４により、第２のレール２（荷重レール）の平行ガイドが２つの引出しガイド３により可能となる。これは、しばしば側面安定化とも呼ばれる。
【符号の説明】
【００４９】
１  第１のレール
２  第２のレール
３  引出しガイド
４  レール同期化装置
５  連行体
６  引出し用駆動装置
７  組付け要素
８  ガイド部材
９  切欠き
１０  家具
１１  家具本体
１２  引出し
１３  係止溝
１４  係止突起
４０  ガイド凹部
４１  ラック
４２  歯車
４３  支承ブラケット
４４  同期化ロッド
４５  歯枠部
４６  第１の保持要素
４７  ガイド溝
４８  第２の保持要素
４９  ロック要素
５１  連行プレート
５２  連行ピン
５３  ガイド要素
６１  支持体
６２  同期ロッド
１００  アセンブリ
Ｌ  長手方向
ＳＳ  閉鎖位置
ＯＳ  開放位置
ＳＲ  閉鎖方向
【図１】
2021511904.tif 000003
【図２】
2021511904.tif 000004
【図３】
2021511904.tif 000005
【図４】
2021511904.tif 000006
【図５】
2021511904.tif 000007
【図６】
2021511904.tif 000008
【図７】
2021511904.tif 000009
【図８】
2021511904.tif 000010
【図９】
2021511904.tif 000011
【図１０】
2021511904.tif 000012
【図１１】
2021511904.tif 000013
【図１２】
2021511904.tif 000014
【図１３】
2021511904.tif 000015
【図１４】
2021511904.tif 000016
【図１５】
2021511904.tif 000017
【図１６】
2021511904.tif 000018
【図１７】
2021511904.tif 000019
【国際調査報告】
2021511904.tif 000020
2021511904.tif 000021
2021511904.tif 000022
2021511904.tif 000023